(57)【要約】    【課題】  表面の擦れに強く、流通時に、当たり、外れがわかることなく、判別方法が容易で、使用可能な色数が多く、安価で偽造しにくいインスタント籤を提供する。    【解決手段】  籤は、加熱によって変色、消色、または着色する感温インキで、当落３、吉凶、勝敗、または等級などを表示する文字、記号、図形、絵、模様が、基材１に印刷されている。前記の文字等以外に、感温インキの加熱前の色と同色であって、加熱しても変色しない不変色インキで、当落４などを表示する文字、記号、図形、絵、模様が基材に記録されていてもよい。【選択図】          図１
2005153203.tif 000002
【特許請求の範囲】
【請求項１】
加熱によって変色、消色、または着色する感温インキで、当落、吉凶、勝敗、または等級などを表示する文字、記号、図形、絵、または／および模様が、基材に記録されていることを特徴とする籤。
【請求項２】
前記文字、記号、図形、絵、または／および模様以外に、該感温インキの加熱前の色と同色であって、加熱しても変色、消色、または着色しない不変色インキで、当落、吉凶、勝敗、または等級などを表示する文字、記号、図形、絵、または／および模様が、基材に記録されていることを特徴とする請求項１に記載の籤。
【請求項３】
該感温インキが、加熱によって変色、消色、または着色した文字、記号、図形、絵、または／および模様が環境変化または経時によって変らない不可逆性インキであることを特徴とする請求項１に記載の籤。
【請求項４】
該感温インキが、粒状または粉末状の熱溶融性物質と、熱溶融した該物質への分散または溶解による分散性のある粒状または粉末状の色素と、熱溶融した該物質の拡散性があるインキビヒクルとを含む請求項１に記載の籤。
【発明の詳細な説明】
【技術分野】
【０００１】
本発明は、加熱すると当落等がわかる籤に関するものである。
【背景技術】
【０００２】
これまでのインスタント籤としては、特許文献１のスクラッチ籤があげられる。スクラッチ籤は表面が傷つくと当たり、外れがわかってしまうため、表面が傷つく可能性がある状態では使用することができない。また、特許文献２には、２枚の画像を重ね合わせる籤が記載されているが、判別が煩雑であるため、普及し難い面がある。
【０００３】
一方、特許文献３には、所定の温度を超えて加熱すると色調が変化する印刷インキが記載されている。
【０００４】
【特許文献１】特開２００３−７２２６８号公報
【特許文献２】特開２００１−２９３９８４号公報
【特許文献３】特開２００２−２９４１２７号公報
【発明の開示】
【発明が解決しようとする課題】
【０００５】
本発明は前記の課題を解決するためになされたもので、表面の擦れに強く、流通時に当たり、外れがわかることなく、判別方法が容易で、安価で偽造されにくい籤を提供することを目的とする。
【課題を解決するための手段】
【０００６】
前記の目的を達成するためになされた請求項１に係る発明は、加熱によって変色、消色、または着色する感温インキで、当落、吉凶、勝敗、または等級などを表示する文字、記号、図形、絵、または／および模様が、基材に潜在的に記録されていることを特徴とする籤である。
【０００７】
請求項１に係る発明の籤を所定の温度以上に加熱すると、感温インキで記録されている文字等の色調が変化し、文字等が顕在化して表示され、当落などを判別できる。
【０００８】
請求項２に係る発明は、前記文字、記号、図形、絵、または／および模様以外に、該感温インキの加熱前の色と同色であって、加熱しても変色、消色、または着色しない不変色インキで、当落、吉凶、勝敗、または等級などを表示する文字、記号、図形、絵、または／および模様が、基材に記録されていることを特徴とする請求項１に記載の籤である。
【０００９】
請求項２に係る発明の籤によれば、当落等を表示する文字などが感温インキと不変色インキの両方で記録されているので、加熱前は当落のどちらであるか解らないが、加熱することによって感温インキで記録されている文字等だけの色調が変化するから、当落などを判別できる。
【００１０】
請求項３に係る発明は、該感温インキが加熱によって変色、消色、または着色した文字、記号、図形、絵、または／および模様が環境変化または経時によって変らない不可逆性インキであることを特徴とする請求項１に記載の籤である。
【００１１】
感温インキが不可逆性であると、加熱後に室温まで冷却し、さらには長時間経過しても、表示された文字等が元に戻らず、当落などを後日再確認できる。
【００１２】
請求項４に係る発明は、該感温インキが、粒状または粉末状の熱溶融性物質と、熱溶融した該物質への分散または溶解による分散性のある粒状または粉末状の色素と、熱溶融した該物質の拡散性があるインキビヒクルとを含む請求項１に記載の籤である。
【発明の効果】
【００１３】
本発明の籤は、加熱するという簡単な操作で当落、吉凶、勝敗、または等級などが表示される。しかも、表面の擦れに強いために、商品そのものに貼付しても、流通時の環境条件で当落、吉凶、勝敗、または等級などがわかってしまうことがない。
【発明を実施するための最良の形態】
【００１４】
本発明の籤は、以下のようにして製造され、使用される。
【００１５】
熱溶融性物質と、熱溶融物質に分散性がある色素と、インキビヒクルと、溶媒とを混練機で均一となるまで混練して、感温インキを調製する。また、色素と、インキビヒクルと、溶媒とに、顔料を加えて色合わせをして、混練機で均一となるまで混練して、加熱前の感温インキと同じ色の不変色インキを調製する。
【００１６】
図１に示すように、基材となる例えば宝くじ用紙１に、感温インキで当選を示す「○」の記号３、不変色インキで落選を示す「×」の記号４を印刷すると籤が得られる。「○」の記号３、「×」の記号４は同一色調で印刷されているため、当落を特定できない。宝くじを手にした人は、図２に示すように、ライターの火炎５を近づけて記号部分を加熱すると、感温インキで印刷された「○」だけが変色し、当選が示される。
【００１７】
感温インキは、色素によって、変色後の色調を、任意に設定することができる。感温インキは、単色で用いてもよく、また変色後の色調が異なる感温インキを複数用いて変色部分が多色になるよう印刷したり、変色する文字種によって異なる色で印刷したりしてもよい。
【００１８】
感温インキに使用される熱溶融性物質は、変色温度を決定する成分であって、常圧下で記録すべき温度の融点を有し、融点以上に加熱されると熱溶融して、粒状または粉末状から液状に変化する物質である。熱溶融性物質は、脂肪酸誘導体、アルコール誘導体、エーテル誘導体、アルデヒド誘導体、ケトン誘導体、アミン誘導体、アミド誘導体、ニトリル誘導体、炭化水素誘導体、チオール誘導体、スルフィド誘導体から選ばれる少なくとも１種類が好適に用いられる。この熱溶融性物質は、０．０１μｍ〜５ｍｍの径を有していることが好ましい。
【００１９】
色素は、感温インキ中に粒状または粉末状で含まれ、熱溶融した熱溶融性物質に分散または溶解することにより拡散するものである。また色素は、熱溶融したこの物質によって色素の粒表面や粉末表面が湿潤されるものであってもよい。色素として、直接染料、酸性染料、塩基性染料、分散性染料、反応性染料、油溶性染料、バット染料、媒染染料、アゾイック染料、硫化染料の例示される染料、有機顔料や無機顔料の例示される顔料、着色体が挙げられ、広範囲のものが使用できる。これらの色素は、２種以上混合して用いてもよい。この色素は、０．００１μｍ〜５ｍｍの径を有していることが好ましい。感温インキ中、熱溶融性物質の１００重量部に対して、この色素は０．００１〜１００重量部の比で含まれていることが好ましい。
【００２０】
インキビヒクルは、常温でこの熱溶融性物質とこの色素とを溶解せず拡散させないが、熱溶融して色素の分散または溶解した熱溶融性物質を、拡散することができるものである。インキビヒクルは、例えばアクリル樹脂、フェノール樹脂、ナイロン、エチルセルロース、ヒドロキシメチルセルロース、ポリビニルアルコール、カルボキシメチルセルロース、シリカ系、エポキシ系、アミノ系、ウレタン系、ウレタンアクリレート系、エポキシアクリレート系、エーテルアクリレート系、アルキド系、ビニルアセタール系、アクリル系ポリエステル、アクリル系の紫外線硬化樹脂などが挙げられる。
【００２１】
感温インキ中に、この熱溶融性物質が１０〜７０重量％含まれていることが好ましい。１０重量％未満であると色調変化が不明瞭であり、一方７０重量％より多いと固着力が低下し基材への塗布や印刷ができない。
【００２２】
感温インキには、熱溶融性物質と色素とを溶解しないがインキビヒクルを溶解する溶媒が含まれていてもよい。このような溶媒は、例えば水、エタノール、ブタノール、酢酸エチル、酢酸イソアミル、メチルエチルケトン、メチルイソブチルケトン、キシレン、ジエチルベンゼン、トルエン、ブチルセロソルブ、エチルセロソルブ、ミネラルスピリット、さらにＵＶ硬化樹脂を用いた場合には、感光性樹脂のモノマーが挙げられる。
【００２３】
さらに、感温インキには、色素を分散させて色調変化が明瞭となるように、タルク、炭酸マグネシウム、シリカの例示される分散剤が含まれていてもよい。感温インキには、色調変化を増幅させるため、直接染料、酸性染料、塩基性染料、分散染料、反応性染料、油溶性染料、建築染料、媒染染料、アゾイック染料、硫化染料の例示される染料、有機顔料、無機顔料のいずれかであって、色素の色調と対照色を示す色の助色剤が含まれていてもよい。また、感温インキには、インキの流動性や乾燥性を調整するワックスや界面活性剤が含まれていてもよい。
【００２４】
基材には、フィルムや、紙が用いられる。また、基材にはラミネート加工を施してもよく、裏面に粘着剤層を有していてもよい。さらにプラスチックの成型体や木材、表面処理を施した金属などの商品それ自体を基材とし、文字等を記録してもよい。
【００２５】
記録方法は、例えばスクリーン印刷、オフセット印刷、グラビア印刷、インクジェットプリンタによる記録のみならず、簡易には刷毛塗りやペン書きなどができる。
【００２６】
加熱方法は、感温インキの変色以上に加熱でき、感温インキや素材を溶かしたり焦がして崩壊させないものであれば手段を選ばない。ライター、マッチ、ろうそく、電子レンジ、ホットプレート、ガスコンロ、ＩＨ（電磁誘導）調理器、ドライヤー、アイロン、ストーブ、お湯、使い捨てカイロなどが使用できる。
【００２７】
感温インキで記録される籤の対象としては、それ自身が籤片である宝くじや福引き、寺社等のおみくじなどがある。この他、ゲームの素材として使うこともできる。また商品の包装、梱包紙などでもよい。例えば加熱食品のカップ容器の本体や蓋、コンビニエンスストア等で販売されている弁当の容器や包装、レトルト食品の包装、紙コップ、使い捨て食器類など、販売時乃至は使用時に加熱される商品に付しておくこともできる。
【実施例】
【００２８】
以下、本発明の実施例を詳細に説明する。
【００２９】
実施例１〜６は本発明の籤を試作した例であり、比較例１は本発明を適用外の籤を試作した例である。
【００３０】
（実施例１）
熱溶融性物質はステアリン酸アミドを１００重量部、色素はベイシック・レッド３８を１重量部、インキビヒクルはアクリル樹脂を７重量部、溶媒は酢酸イソアミルを２００重量部とを混練機で均一となるまで混練して、白色の感温インキを得た。感温インキをスクリーン印刷により、基材である粘着剤つきの上質紙に「当り」の文字を印刷し、白色の不変色インキ（株式会社ミノグループ、商品名ハイセットマットインキ）を同様の方法で「外れ」の文字を印刷し、籤とした。
【００３１】
（実施例２）
実施例１と同様の方法で、感温インキを「外れ」と印刷し、不変色インキを「当り」と印刷し、籤とした。
【００３２】
（実施例３）
色素をアゾイックブルー９に変えたこと以外は実施例１と同様の方法で感温インキを調整後、基材にスクリーン印刷し、籤とした。
【００３３】
（実施例４）
色素をアシッド・イエロー７３に変えたこと以外は実施例１と同様の方法で感温インキを調整後、基材にスクリーン印刷し、籤とした。
【００３４】
（実施例５）
色素をカーボンブラックに変えたこと以外は実施例１と同様の方法で感温インキを調整後、基材にスクリーン印刷し、籤とした。
【００３５】
（実施例６）
色素をソルベント・オレンジ２に変えたこと以外は実施例１と同様の方法で感温インキを調整後、基材にスクリーン印刷し、籤とした。
【００３６】
（比較例１）
可逆性の感温インキ（日油技研工業株式会社、商品名メデシルカラー）を、実施例１と同様の方法で「当り」と印刷し、市販の不変色性の赤色インキ（株式会社ミノグループ、商品名ハイセットマットインキ）を、同様の方法で「外れ」と印刷し、籤とした。
【００３７】
実施例１〜６および比較例１で試作した籤をドライヤーで加熱し、色調の変化を観察した。その結果を表１に示す。
【００３８】
【表１】
2005153203.tif 000003
【００３９】
表１から明らかなように、実施例１の籤はドライヤーで加熱すると、「当り」の文字が赤く発色し、「外れ」の文字は白色のままであった。この籤は室温にまで冷却しても「当り」の文字は赤く発色したままで、当たりであることが判別できた。
【００４０】
また、実施例２の籤はドライヤーで加熱すると、「外れ」の文字が赤く発色し、「当り」の文字は白色のままであった。この籤は室温にまで冷却しても「外れ」の文字は赤く発色したままで、外れであることが判別できた。
【００４１】
一方、比較例１の籤は、ドライヤーで加熱することで、「当り」の文字が黄色に発色し、「外れ」の文字は赤色のままであったが、室温まで冷却すると「当り」の文字が赤色に復色してしまい、当たり、外れを判別することはできなかった。
【図面の簡単な説明】
【００４２】
【図１】本発明を適用する籤の平面図である。
【００４３】
【図２】本発明を適用する籤の使用状態を示す斜視図である。
【符号の説明】
【００４４】
１は宝くじ用紙、３，４は記号、５は火炎である。
【図１】
2005153203.tif 000004
【図２】
2005153203.tif 000005